(57)【特許請求の範囲】
【請求項１】
四角形枠状に形成された枠体内に障子を開閉可能に納め、前記枠体の吊元側の縦枠と前記障子の吊元側の縦框とが丁番によって連結された建具であって、
前記吊元側の縦枠は、屋内側から見て吊元側の縦框における屋内側端面の少なくとも一部を覆うように見付け方向の内側に向けて突出する戸当り板を備え、
前記縦框は、金属縦框と、前記縦框の屋内側に位置する樹脂縦框と、から形成され、
前記樹脂縦框は、押縁を構成し、
前記吊元側の縦框における前記押縁の屋内側端面と前記戸当り板とが離間した状態で配置され、
前記戸当り板には、前記押縁に対して見込み方向に対向するとともに、屋外側に向けて突出する弾性部材からなるガード部材が設けられ、
前記吊元側の縦枠には、前記縦框の吊元側取付面に対向する縦框固定面が設けられ、
前記縦框には、前記吊元側取付面から見付け方向の外側に向けて突出する突出部が設けられ、
前記縦枠には、前記縦框固定面よりも見付け方向の外側に位置する被固定面から戸先側に向けて突出する弾性部材からなる気密部材が設けられ、
該気密部材の突出端が前記突出部に気密な状態で当接し、
前記気密部材は、該気密部材によって隔離される屋外側の空間が前記吊元側の縦框の屋内側端面よりも屋外側に位置するように配置されていることを特徴とする建具。
【請求項２】
前記縦枠の前記縦框固定面は、前記縦框の前記吊元側取付面に対して離間した状態で配置されていることを特徴とする請求項１に記載の建具。
【請求項３】
前記ガード部材の突出端と、前記縦框の屋内側端面との間に隙間が形成されていることを特徴とする請求項１又は２に記載の建具。
【請求項４】
吊元側の前記気密部材の屋内側の面は、前記枠体の上枠又は下枠の気密材の外面と接していることを特徴とする請求項１乃至３のいずれか１項に記載の建具。
【請求項５】
前記ガード部材は、前記戸当り板における見付け方向で内側の内端部に設けられていることを特徴とする請求項１乃至４のいずれか１項に記載の建具。
【発明の詳細な説明】
【技術分野】
【０００１】
本発明は、構造物の開口部に設けられる建具に関する。
【背景技術】
【０００２】
従来、四角形枠状に形成された枠体内に障子を開閉可能に納めた建具として、例えば特許文献１に示すような枠体の吊元側の縦枠と障子の吊元側の縦框とが丁番によって連結されたドアが知られている。
【０００３】
特許文献１には、枠と、枠に開閉自在に設けた障子とを備え、枠は、縦枠と横枠とコーナー部品とを有し、縦枠は、縦タイト材ホルダーと、縦タイト材ホルダーに取付けた縦タイト材を有し、横枠は、横タイト材ホルダーと、横タイト材ホルダーに取付けた横タイト材を有し、縦タイト材ホルダーは横タイト材ホルダーよりも障子から離れた位置に位置しており、縦タイト材は横タイト材よりも見込み方向の幅が厚いものであり、縦タイト材と横タイト材が見込み方向の同一面で障子に当接しており、コーナー部品は、縦タイト材ホルダーと横タイト材ホルダーの間に設けてあり、縦タイト材と横タイト材をコーナー部品により連続させている構成の建具について記載されている。
【先行技術文献】
【特許文献】
【０００４】
【特許文献１】特開２０１２−１５４１４７号公報
【発明の概要】
【発明が解決しようとする課題】
【０００５】
しかしながら、上述した従来の建具では、吊元側の縦框の丁番の近傍の金属製の屋内側端面に対して、縦枠に設けられる気密部材が当接する構造となっている。そのため、断熱効果を向上させる等、吊元側における新たな構造の建具が求められており、その点で改善の余地があった。
【０００６】
本発明は、上述する問題点に鑑みてなされたもので、吊元側の縦枠と縦框との間の空間を効果的に利用できる新たな構造を実現可能な建具を提供することを目的とする。
【課題を解決するための手段】
【０００７】
上記目的を達成するため、本発明に係る建具は、四角形枠状に形成された枠体内に障子を開閉可能に納め、前記枠体の吊元側の縦枠と前記障子の吊元側の縦框とが丁番によって連結された建具であって、前記吊元側の縦枠は、屋内側から見て吊元側の縦框における屋内側端面の少なくとも一部を覆うように見付け方向の内側に向けて突出する戸当り板を備え、前記縦框は、金属縦框と、前記縦框の屋内側に位置する樹脂縦框と、から形成され、前記樹脂縦框は、押縁を構成し、前記吊元側の縦框における前記押縁の屋内側端面と前記戸当り板とが離間した状態で配置され、前記戸当り板には、前記押縁に対して見込み方向に対向するとともに、屋外側に向けて突出する弾性部材からなるガード部材が設けられ、前記吊元側の縦枠には、前記縦框の吊元側取付面に対向する縦框固定面が設けられ、前記縦框には、前記吊元側取付面から見付け方向の外側に向けて突出する突出部が設けられ、前記縦枠には、前記縦框固定面よりも見付け方向の外側に位置する被固定面から戸先側に向けて突出する弾性部材からなる気密部材が設けられ、該気密部材の突出端が前記突出部に気密な状態で当接し、前記気密部材は、該気密部材によって隔離される屋外側の空間が前記吊元側の縦框の屋内側端面よりも屋外側に位置するように配置されていることを特徴としている。
【０００８】
本発明では、吊元側の縦框における押縁の屋内側端面と戸当り板とが離間した状態で配置されているので、例えばその離間した空間を断熱層として機能させることも可能となり、吊元側の縦枠と縦框との間の空間を効果的に利用できる新たな構造を実現することができる。
また、屋内側から縦框における押縁の屋内側端面と戸当り板との間の隙間がガード部材によって見え難くなっているので、前記隙間に指等を進入させにくくなる利点がある。
さらに、本発明では、ガード部材よりも奥に位置する前記隙間が屋内側に露出せずに屋内側から見て隠れた状態となることから、意匠性を向上させることができる。
【００１０】
また、本発明の場合には、気密部材によって屋外と屋内とを気密な状態で隔離する気密ラインを形成することができる。これにより、吊元側の縦框の屋内側端面と戸当り板との間に形成される隙間が屋外と隔離された空気層となるので、断熱性能を向上させることができる。
そして、本発明では、気密部材が当接する縦框の吊元側取付面をアルミ合金等の金属部材で形成し、この気密部材によって吊元側の気密性を確保することができるので、ガード部材に気密性をもたせる必要がない。そのため、ガード部材に対向する部分で、かつ屋内に露出する部分となる吊元側の縦框における屋内側端面を樹脂部材により形成することができるから、断熱性能を向上させることができる。
【００１１】
また、本発明に係る建具は、前記縦枠の前記縦框固定面は、前記縦框の前記吊元側取付面に対して離間した状態で配置されていることが好ましい。
【００１２】
本発明では、縦框の押縁と戸当り板との間の空間に加え、さらに縦枠の縦框固定面と縦框の吊元側取付面との間にも空間が形成されるので、これら空間をより効果的に利用することが可能となる。
【００１３】
また、本発明に係る建具は、前記ガード部材の突出端と、前記縦框の屋内側端面との間に隙間が形成されていることが好ましい。
【００１４】
この場合には、気密部材で気密性を確保することができ、ガード部材に気密性をもたせる必要が無いので、屋内側からの意匠性を損なわない程度にガード部材の突出長を短くすることができる。
【００１５】
また、本発明に係る建具は、吊元側の前記気密部材の屋内側の面は、前記枠体の上枠又は下枠の気密材の外面と接していることが好ましい。
【００１６】
この場合には、吊元側の気密部材に対して屋内側から枠体の上枠又は下枠の気密材が接しているので、より高い気密性を確保することができる。
さらに、本発明では、若干の雨水が吊元側の気密材同士のつなぎ目から浸入した場合であっても、気密部材よりも屋内側にガード部材が設けられているので、前記雨水の浸入による飛沫等によって直接室内側が濡れることを抑制でき、高い水密性を確保することができる。
【００１７】
また、本発明に係る建具は、前記ガード部材は、前記戸当り板における見付け方向で内側の内端部に設けられていることを特徴としてもよい。
【００１８】
この場合には、ガード部材が戸当り板の内端部に位置し、屋内側から縦框の屋内側端面と戸当り板との間の隙間がガード部材によって見えない状態となるので、屋内側から見た意匠性をさらに向上させることができる。
【発明の効果】
【００１９】
本発明の建具によれば、吊元側の縦枠と縦框との間の空間を効果的に利用できる新たな構造を実現することが可能となる。
【図面の簡単な説明】
【００２０】
【図１】本発明の実施の形態による框ドアを屋内側から見た正面図である。
【図２】図１に示す框ドアの縦断面図であって、図３に示すＡ−Ａ線断面図である。
【図３】図１に示す框ドアの水平断面図である。
【図４】図３に示す框ドアの吊元側の詳細構成を示す要部水平断面図である。
【図５】框ドアの障子を開いた状態を示す水平断面図であって、図３に対応する図である。
【図６】変形例による框ドアの吊元側の詳細構成を示す要部水平断面図であって、図４に対応する図である。
【発明を実施するための形態】
【００２１】
以下、本発明の実施の形態による建具について、図面を参照しながら説明する。
【００２２】
図１に示す本実施の形態による建具として、建築物の開口部に設けられる框ドア１を一例として以下に説明する。
図１は、実施の形態による框ドア１を屋内側から見た正面図である。図２は、框ドア１の縦断面図、図３は框ドア１の水平断面図である。
【００２３】
図１に示すように、本実施の形態による框ドア１は、建物の躯体Ｋに形成された開口部Ｗに設置された枠体２と、枠体２内に納められていて開閉可能な障子３と、を備えている。この框ドア１の障子３は、スイング式ドアであり、例えば勝手口ドア等として用いられる複合建具である。
【００２４】
框ドア１の枠体２は、上枠５、下枠６、及び左右の縦枠７、８で四角形枠状に形成されている。枠体２内の扉部をなす障子３は、上框１０、下框１１、及び左右の縦框１２、１３で四角形枠状に形成された框体１４を備えている。框体１４の内部には、１または複数層のガラスパネル１５が納められている。
【００２５】
なお、以下の説明において、枠体２に対して障子３が閉じた状態でガラスパネル１５の上下方向Ｙに直交し、かつガラスパネル１５のガラス面に沿う方向を見付け方向Ｘという。この見付け方向Ｘのうちガラスパネル１５の中心に向かう方向を見付け方向Ｘの内側とし、反対方向を見付け方向Ｘの外側と称する。また、ガラスパネル１５の厚み方向を見込み方向Ｚと称する。
【００２６】
図２において、枠体２の上枠５は屋外側の金属上枠５１と屋内側の樹脂製の樹脂上枠５２とにより構成され、下枠６は屋外側の金属下枠６１と屋内側の樹脂下枠６２とで構成されている。また、左右の縦枠７，８は、屋外側の金属縦枠７１，８１と、屋内側の樹脂縦枠７２、８２と、でそれぞれ構成されている。金属上枠５１、金属下枠６１、及び金属縦枠７１、８１は、それぞれアルミ合金等の金属部材により形成されている。樹脂上枠５２、樹脂下枠６２、及び樹脂縦枠７２、８２は、それぞれ樹脂製の材料により形成されている。
【００２７】
下枠６は、金属下枠６１の上部に樹脂下枠６２が接続されている。金属下枠６１には排水路６３が見付け方向Ｘに沿って延在しており、樹脂下枠６２には上下方向に貫通するとともに、排水路６３に連通するキャップ６５を備えた排水孔が設けられている。この排水路６３は、屋外に通じており、排水路６３に溜まった結露水等が屋外に排出されるようになっている。
【００２８】
図３に示すように、吊元側（図３で紙面左側）に位置する縦枠７の金属縦枠７１は、屋外側に障子３を開閉自在に固定する支持枠部７３と、支持枠部７３から見込み方向Ｚで屋内側に連結部７６を介して配置され、かつ躯体Ｋから見付け方向Ｘの内側に向けて延びる金属フランジ７４と、を備えている。
連結部７６のガラスパネル１５側の縦框固定面７６ａには、上下方向Ｙに延在する第１気密部材４１（気密部材）が設けられている。第１気密部材４１は、ゴム製の弾性部材から形成され、見付け方向Ｘの内側に向けて突出した状態で設けられ、その突出端４１ａが障子３が閉じた状態において障子３の吊元側の端面（後述する縦框１２の吊元側突出端面１２１ｂ）に面接触により当接している。
【００２９】
縦枠７の樹脂縦枠７２は、金属縦枠７１の屋内側に接続し、屋内側で躯体Ｋに固定されている。さらに、樹脂縦枠７２は、金属縦枠７１の金属フランジ７４の突出端に対して同一面上に連設し、見付け方向Ｘに沿って延在するとともに、縦框１２から見込み方向Ｚに間隔をあけて配置された樹脂フランジ７５（戸当り板）を備えている。つまり、吊元側の縦枠７の金属フランジ７４及び樹脂フランジ７５は、屋内側から見て吊元側の縦框１２における屋内側端面１２２ａ（後述）の少なくとも一部を覆うように見付け方向Ｘの内側に向けて突出している。
樹脂フランジ７５には、上下方向Ｙに延在するガード部材４２が設けられている。ガード部材４２は、ゴム製の弾性部材から形成され、屋外側に向けて突出した状態で設けられ、障子３が閉じた状態において障子３の吊元側の縦框１２（後述する樹脂縦框１２２の屋内側端面１２２ａ）から僅かに離間している。
【００３０】
一方で戸先側に位置する縦枠８の金属縦枠８１は、屋外側において障子３を係止可能な係止枠部８３と、係止枠部８３の屋内側に間隔をあけて配置され、躯体Ｋから見付け方向Ｘの内側に向けて延びる金属フランジ８４と、を備えている。
金属フランジ８４における屋外側の部分には、上下方向Ｙに延在する第２気密部材４３が設けられている。第２気密部材４３は、ゴム製の弾性部材から形成され、屋外側に向けて突出した状態で設けられ、その突出端４３ａが障子３が閉じた状態において障子３の戸先側の縦框１３（後述する樹脂縦框１３２）に当接している。
縦枠８の樹脂縦枠８２は、金属縦枠８１の屋内側に接続し、屋内側で躯体Ｋに固定されている。
【００３１】
障子３は、図２に示すように、上框１０は屋外側の金属上框１０１と屋内側の樹脂上框１０２とで構成され、下框１１は屋外側の金属下框１１１と屋内側の樹脂下框１１２とで構成されている。また、図３に示すように、左右の縦框１２，１３は、屋外側の金属縦框１２１，１３１と、屋内側の樹脂縦框１２２，１３３と、でそれぞれ構成されている。障子３の框体１４の内部に納められたガラスパネル１５は、例えば２層パネルで構成されている。なお、吊元側の樹脂縦框１２２は、本発明の押縁に相当する。
【００３２】
図２に示す上框１０は、ガラスパネル１５の上端部を収容するように、金属上框１０１と樹脂上框１０２によって断面略Ｕ字状となるパネル受け溝１０ａが形成されている。ガラスパネル１５は、パネル受け溝１０ａに設けたシリコンゴム等のシール部材１６、或いは接着剤等によって強固に固定されている。同様にガラスパネル１５は、下框１１、左右の縦框１２，１３にそれぞれ形成されたパネル受け溝１１ａ、１２ａ、１３ａとシール部材１６によって強固に固定されている。
【００３３】
図２及び図３に示すように、框ドア１の例えば上框１０及び下框１１と吊元側（図３で紙面左側）の縦框１２は、屋内側において上枠５の樹脂上枠５２、下枠６の樹脂下枠６２、そして吊元側の縦枠７の樹脂縦枠７２にそれぞれ隠れた隠し框構造を有している。そのため、上框１０、下框１１、吊元側の縦框１２の見付け方向Ｘの幅が戸先側の縦框１３の幅より小さく形成されている。これら上框１０、下框１１、縦框１２では、ガラスパネル１５の呑込み量が例えば１５ｍｍと大きくても、シール部材１６によってガラスパネル１５と一体に形成したため框体１４を強固に固定できる。そのため、障子３が強風等を受けた場合にも框体１４が歪むことをガラスパネル１５で防止できる。
【００３４】
また、図３及び図４において、吊元側の縦枠７と障子３の縦框１２との間には、丁番２０が上下方向Ｙに所定間隔で複数固定されている。丁番２０は、軸部２３の一方の第１取付板２１が金属縦枠７１の支持枠部７３にボルト２４で固定され、他方の第２取付板２２が金属縦框１２１の吊元側取付面１２１ａにボルト２５で固定されている。障子３の閉鎖状態で丁番２０を取り付けた吊元側の支持枠部７３の取付け面と障子３の金属縦框１２１とは、互いに見込み方向Ｚに沿って平行に設けられている。
【００３５】
また、第２取付板２２が固定される金属縦框１２１の吊元側取付面１２１ａよりも屋内側には、吊元側取付面１２１ａよりも見付け方向Ｘの外側に張り出した突出部１２１ｃが形成され、この突出部１２１ｃの突出端をなす吊元側突出端面１２１ｂに金属縦枠７１の連結部７６に固定された第１気密部材４１が当接している。
そして、吊元側の縦框１２の樹脂縦框１２２における屋内側端面１２２ａと、縦枠７の金属フランジ７４及び樹脂フランジ７５との間には、第１気密部材４１、ガード部材４２によって囲まれた断熱空間Ｓ１が形成されている。また、障子３が閉じた状態において、金属縦枠７１と、金属縦框１２１と、第１気密部材４１との間には第２隙間Ｓ２が形成されている。
このように金属縦框１２１は、樹脂製の樹脂フランジ７５と樹脂縦框１２２によって屋内側から覆い被せられ例えば状態になっている。
【００３６】
また、障子３において、図３及び図５に示すように、戸先側の縦框１３にはその高さ方向中央部の両面にハンドル２６が取り付けられている。ハンドル２６を回転操作することでグレモン錠の上下両側で図示しないロッドを上下方向に動作させて図２に示す上枠５と下枠６に進退させてロックとその解除が行われる。
また、図２に示すように、枠体２の金属上枠５１と障子３の金属上框１０１には障子３の開閉操作を補助するフリクションアーム２７が取り付けられている。
【００３７】
次に、本実施の形態による框ドア１の作用について説明する。
本実施の形態の框ドア１では、図３乃至図５に示すように、吊元側の縦框１２における樹脂縦框１２２の屋内側端面１２２ａと、吊元側の縦枠７の樹脂縦枠７２の樹脂フランジ７５とが離間した状態で配置されているので、例えばその離間した空間を断熱層として機能させることも可能となり、吊元側の縦枠７と縦框１２との間の空間（第１隙間Ｓ１）を効果的に利用できる新たな構造を実現することができる。
【００３８】
また、本実施の形態では、障子３の開閉時に樹脂縦框１２２の屋内側端面１２２ａと、樹脂縦枠７２の樹脂フランジ７５との間の第１隙間Ｓ１に指が進入した場合でも、ガード部材４２が弾性変形することにより指詰めを防止することができる。
さらに、ガード部材４２の奥側に第１隙間Ｓ１を形成することがきるので、吊元側の縦框１２の屋内側端面１２２ａと弾性変形したガード部材４２との間に指が挟まれた状態であっても、指の一部を前記第１隙間Ｓ１に逃がすことができる。そのため、樹脂縦枠７２の樹脂フランジ７５との間で指全体が圧迫された状態で挟まれることを防止でき、指の圧迫感を小さくすることができる。
【００３９】
また、図５に示すように、屋内側から第１隙間Ｓ１がガード部材４２によって見え難くなっているので、この第１隙間Ｓ１に指等を進入させにくくなる利点がある。
さらに、本実施の形態では、ガード部材４２よりも奥に位置する第１隙間Ｓ１が屋内側に露出せずに屋内側から見て隠れた状態となることから、意匠性を向上させることができる。
【００４０】
また、本実施の形態では、図４に示すように、第１気密部材４１によって屋外と屋内とを気密、及び水密な状態で隔離する気密ラインＰ（図４に示す二点鎖線）を形成することができる。これにより、吊元側の縦框１２の屋内側端面１２２ａと縦枠７の樹脂フランジ７５との間に形成される第１隙間Ｓ１が屋外と隔離された空気層となるので、断熱性能を向上させることができる。
【００４１】
そして、本実施の形態では、第１気密部材４１が当接する縦框１２の吊元側取付面１２１ａをアルミ合金等の金属部材で形成し、この第１気密部材４１によって吊元側の気密性を確保することができるので、ガード部材４２に気密性をもたせる必要がない。そのため、ガード部材４２に対向する部分で、かつ屋内に露出する部分となる吊元側の縦框１２における樹脂縦框１２２の屋内側端面１２２ａを樹脂部材により形成することができるから、断熱性能を向上させることができる。
【００４２】
さらに、本実施の形態では、第１隙間Ｓ１に加え、さらに縦枠７の支持枠部７３における縦框固定面７３ａと縦框１２の吊元側取付面１２１ａとの間に形成される隙間（第２隙間Ｓ２）が形成されるので、これら隙間Ｓ１、Ｓ２をより効果的に利用することが可能となる。
また、障子３の開閉時に第２隙間Ｓ２に指が進入した場合であっても、障子３を閉めた状態で第２隙間Ｓ２が形成されたままであるので、指が挟まれることを防止することができる。しかも、このとき第１隙間Ｓ１も形成されているので、第２隙間Ｓ２に指を進入させてしまっても、指の圧迫感を小さく抑えることができる。
【００４３】
さらにまた、本実施の形態による框ドア１では、第１気密部材４１で気密性を確保することができ、ガード部材４２に気密性をもたせる必要が無いので、屋内側からの意匠性を損なわない程度にガード部材４２の突出長を短くすることができる。そのため、ガード部材４２と縦框１２の屋内側端面１２２ａとの間に指を挟んだ状態における指への負担を小さくすることができる。
【００４４】
また、この場合には、ガード部材４２が樹脂フランジ７５の内端部７５ａに位置し、屋内側から第１隙間Ｓ１がガード部材４２によって見えない状態となるので、屋内側から見た意匠性をさらに向上させることができる。
【００４５】
以上、本発明による建具の実施の形態について説明したが、本発明は上記の実施の形態に限定されるものではなく、その趣旨を逸脱しない範囲で適宜変更可能である。
【００４６】
例えば、上述した実施の形態では、縦框１２の吊元側取付面１２１ａが縦枠７の支持枠部７３に対して平行する構成となっているが、これに限定されることはなく、吊元側の縦框１２の金属縦框１２１における吊元側取付面１２１ａがテーパ状に傾斜して形成され、略三角形状の断面をなす第２隙間Ｓ２を形成するようにしても良い。
具体的に図６に示す構成は、障子３の閉鎖状態で丁番２０を取り付けた吊元側の金属縦枠７１と障子３の金属縦框１２１とがほぼテーパ状に離間した状態で近接している。つまり、障子３が閉じた状態において、金属縦枠７１と、金属縦框１２１と、上述した第１気密部材４１との間には略三角形状の第２隙間Ｓ２が形成されている。そして、支持枠部７３のガラスパネル１５側の縦框固定面７３ａにおける屋内側端部には、上下方向Ｙに延在する第１気密部材４１が設けられている。また、第２取付板２２が固定される金属縦框１２１の吊元側取付面１２１ａの屋内側の部分は、金属縦枠７１に対して平行となる当接部（符号１２１ｂの部分）が形成され、この当接部に金属縦枠７１に固定された第１気密部材４１が当接している。
そして、吊元側の縦框１２の樹脂縦框１２２における屋内側端面１２２ａと、縦枠７の金属フランジ７４及び樹脂フランジ７５との間には、第１気密部材４１、ガード部材４２によって囲まれた第１隙間Ｓ１が形成されている。
さらに、この場合には、障子３の開閉時に縦枠７の支持枠部７３における縦框固定面７３ａと縦框１２の吊元側取付面１２１ａとの間に形成される隙間（第２隙間Ｓ２）に指が進入した場合であっても、障子３を閉めた状態で第２隙間Ｓ２が形成されたままであるので、指が挟まれることを防止することができる。しかも、このとき第１隙間Ｓ１も形成されているので、第２隙間Ｓ２に指を進入させてしまっても、指の圧迫感を小さく抑えることができる。
【００４７】
また、本実施の形態では、縦枠７の縦框固定面７３ａに第１気密部材４１を設けた構成としているが、この第１気密部材４１を省略することも可能である。なお、この場合には、ガード部材４２に気密性能をもたせて、このガード部材４２に屋外と屋内の気密ラインを設けるようにすればよい。つまり、障子３を閉じた状態で、ガード部材４２が縦框１２の屋内側端面１２２ａに当接する構成にすればよい。このように、ガード部材４２の突出端４２ａと縦框１２の屋内側端面１２２ａとの間に隙間が形成されていることに限定されることはない。
【００４８】
さらに、縦枠７の戸当り板（金属フランジ７４及び樹脂フランジ７５）に対するガード部材４２の見付け方向Ｘの位置は、上述した実施の形態のように樹脂フランジ７５の内端部７５ａであることに限定されることはなく、内端部７５ａよりも見付け方向Ｘの外側の適宜な位置に配置してもよい。
【００４９】
また、上述した実施の形態では、障子３の上框１０、下框１１、吊元側の縦框１２を隠し框構造にしたが、これに代えて上框１０、下框１１、吊元側の縦框１２の少なくとも１つを隠し框構造にしてもよい。或いは、隠し框構造を採用しなくてもよい。
【００５０】
また、吊元側の第１気密部材４１の屋内側の面は、枠体２の上枠５又は下枠６の気密材の外面と接していることが好ましい。
この場合には、吊元側の気密部材４１に対して屋内側から枠体２の上枠５又は下枠６の気密材が接しているので、より高い気密性を確保することができる。さらに、若干の雨水が吊元側の気密材同士のつなぎ目から浸入した場合であっても、第１気密部材４１よりも屋内側にガード部材４２が設けられているので、前記雨水の浸入による飛沫等によって直接室内側が濡れることを抑制でき、高い水密性を確保することができる。
【００５１】
なお、本実施の形態では、框ドア１をアルミ合金等の金属部材と樹脂部材からなる複合建具としたが、これに代えてアルミ合金等の金属部材からなるドアや樹脂部材からなるドア等の建具にも適用することができる。
また、本発明の実施形態では勝手口ドア等のスイング式の框ドア１について説明したが、本発明はこのような框ドア１に限定されることなく、縦辷り出し窓や横辷り出し窓等の各種の建具にも適用できる。また、建具の枠体に納められる障子は扉部だけでなく窓等の各種の障子を含む。
【００５２】
その他、本発明の趣旨を逸脱しない範囲で、上記した実施の形態における構成要素を周知の構成要素に置き換えることは適宜可能である。
【符号の説明】
【００５３】
１  框ドア（建具）
２  枠体
３  障子
５  上枠
６  下枠
７、８  縦枠
１０  上框
１１  下框
１２、１３  縦框
１５  ガラスパネル
２０  丁番
４１  第１気密部材（気密部材）
４２  ガード部材
４３  第２気密部材
７１  金属縦枠
７２  樹脂縦枠
７３  支持枠部
７３ａ  縦框固定面
７４  金属フランジ
７５  樹脂フランジ（戸当り板）
７５ａ  内端部
７６  連結部
７６ａ  縦框固定面
１２１  金属縦框
１２１ａ  吊元側取付面
１２１ｂ  吊元側突出端面
１２２  樹脂縦框（押縁）
１２２ａ  屋内側端面
Ｓ１  第１空間
Ｓ２  第２空間
Ｘ  見付け方向
Ｙ  上下方向
Ｚ  見込み方向
Ｐ  気密ライン
【図１】
0006726507.tif 000002
【図２】
0006726507.tif 000003
【図３】
0006726507.tif 000004
【図４】
0006726507.tif 000005
【図５】
0006726507.tif 000006
【図６】
0006726507.tif 000007